(57)【特許請求の範囲】
【請求項１】
機前側に遊技領域を有すると共に、機裏側の所定部位にヒューズを着脱自在なヒューズ取付部を有する遊技機において、
前記ヒューズを各別に保持し得る一対の保持手段が互いに対称となるように並設されたヒューズホルダを備え、前記ヒューズホルダの着脱操作によって一対の前記保持手段に保持されたヒューズのうち一方を前記ヒューズ取付部に対して着脱自在に装着可能とするとともに、前記ヒューズホルダの反転操作によって一対の前記保持手段に保持されたヒューズのうち一方を前記ヒューズ取付部に対して対向配置可能とした遊技機。
【請求項２】
前記ヒューズホルダは、前記保持手段に保持されたヒューズの軸方向の位置決めを行うための位置決め手段を備えて構成され、前記位置決め手段は、前記保持手段から前記ヒューズの各端部側へ向けてそれぞれ延設されているとともに、前記ヒューズの径方向において互いに対向するように配置されている請求項１に記載の遊技機。
【請求項３】
前記ヒューズホルダは、前記ヒューズを保護する保護部を備えて構成されている請求項１又は請求項２に記載の遊技機。
【請求項４】
前記ヒューズホルダは、透明の樹脂で形成されている請求項１〜請求項３のうちいずれか一項に記載の遊技機。
【発明の詳細な説明】
【０００１】
【発明の属する技術分野】
本発明は、遊技機に設置された各種電気部品を制御する制御基板を過電流から保護するヒューズを備えた遊技機に関するものである。
【０００２】
【従来の技術】
従来、パチンコ機、アレンジボール機、スロットマシン機を始めとする各種遊技機には、ランプ類の電飾部品やゲーム状態の進行に伴い作動する遊技部品など多数の電気部品が設置されている。そして、これらの電気部品は、遊技機内部に（例えば、機構セット盤や制御装置内に）設置された制御基板により電気的に制御されている。また、同制御基板には、各種電気部品に過電流が流れ込まないようにするためのヒューズが装着されている。そして、ヒューズ切れが生じた際には、遊技場の係員により使用不能となったヒューズが制御基板から取り外され、交換用ヒューズを新たに制御基板に装着する交換作業が行われていた。
【０００３】
【発明が解決しようとする課題】
ところが、前記制御基板で使用されている筒形ヒューズなどのヒューズは、細くて小さいため、交換作業時においては前記ヒューズを直接指先で摘む必要があり、その作業が大変やりづらかった。また、前記筒形ヒューズは、通電部以外の中央部分がガラスにて構成されているため、前記ヒューズを摘んだ際に力を加えすぎるとガラスを割ってしまう恐れがあった。従って、ヒューズの交換作業は、作業性が非常に悪いという問題があった。
【０００４】
また、交換用ヒューズは、通常、遊技場内の管理室等に保管されており、交換作業の都度、遊技場の係員がヒューズを取りに行く必要があった。また、ヒューズは、遊技機により使用する種類が異なっており、適合するヒューズを容易に探し出すためには、普段から種類分けをして整理しておかなければならなかった。従って、交換用ヒューズの保守管理が煩雑になるという問題もあった。
【０００５】
さらに、遊技機内に設置された制御基板の中には、基板ケース内に収納されていないものもあり、そのような制御基板では接続されているヒューズが遊技機の裏面側で露出した状態となっている。その為、遊技球や遊技コインがその貯留部から落下し、制御基板上に配設された配線用コネクタの通電部とヒューズの通電部とに跨って接触すると、制御基板内の回路をショートさせ、同基板を破損させてしまうという問題もあった。
【０００６】
この発明は、このような従来の技術に存在する問題点に着目してなされたものであり、その目的は、ヒューズの交換作業を容易に行うことができるようにした遊技機を提供することにある。
【０００７】
【課題を解決するための手段】
上記問題点を解決するために、請求項１に記載の発明は、機前側に遊技領域を有すると共に、機裏側の所定部位にヒューズを着脱自在なヒューズ取付部を有する遊技機において、前記ヒューズを各別に保持し得る一対の保持手段が互いに対称となるように並設されたヒューズホルダを備え、前記ヒューズホルダの着脱操作によって一対の前記保持手段に保持されたヒューズのうち一方を前記ヒューズ取付部に対して着脱自在に装着可能とするとともに、前記ヒューズホルダの反転操作によって一対の前記保持手段に保持されたヒューズのうち一方を前記ヒューズ取付部に対して対向配置可能とした遊技機ことを要旨とする。従って、請求項１に記載の発明によれば、一対の保持手段を設けたヒューズホルダの着脱操作により、前記ヒューズが所定部位に着脱される。
【００１０】
請求項２に記載の発明は、請求項１に記載の遊技機において、前記ヒューズホルダは、前記保持手段に保持されたヒューズの軸方向の位置決めを行うための位置決め手段を備えて構成され、前記位置決め手段は、前記保持手段から前記ヒューズの各端部側へ向けてそれぞれ延設されているとともに、前記ヒューズの径方向において互いに対向するように配置されていることを要旨とする。従って、請求項２に記載の発明によれば、請求項１に記載の発明の作用に加えて、位置決め手段により、保持手段に保持されたヒューズの軸方向の位置決めがされる。
【００１１】
請求項３に記載の発明は、請求項１又は２に記載の遊技機において、前記ヒューズホルダは、前記ヒューズを保護する保護部を備えて構成されていることを要旨とする。従って、請求項３に記載の発明によれば、請求項１又は２に記載の発明の作用に加えて、保護部により、ヒューズが保護される。
【００１２】
請求項４に記載の発明は、請求項１〜請求項３のうちいずれか一項に記載の遊技機において、前記ヒューズホルダは、透明の樹脂で形成されていることを要旨とする。従って、請求項４に記載の発明によれば、請求項１〜請求項３のうちいずれか一項に記載の発明の作用に加えて、ヒューズを取り外すことなく、取着されたヒューズが使用可能なものかどうか容易に判別することができる。
【００１４】
【発明の実施の形態】
（第１の実施形態）
以下、本発明を遊技機の一種であるパチンコ遊技機に具体化した第１の実施形態を図１〜図６に基づいて説明する。なお、以下の説明において「右」又は「左」は、特に断らない限り、機裏側から見た場合の「右」又は「左」を示すものとする。
【００１５】
図１には、本実施形態におけるパチンコ遊技機の機裏側が示されている。同図において、パチンコ遊技機は、その基本的構成の概要として、機体の外郭をなす外枠１０に、各種の遊技用構成部材をセットする縦長方形の前枠１１が開閉及び着脱可能に組み付けられている。そして、前記前枠１１には、図示しない遊技盤が着脱可能にセットされると共に、前枠１１の前面側には図示しない上球皿及び打球発射装置などが装着されている。また、外枠１０の一側縁（右側）には、球貸しシステムに利用されるカードユニット１２が装着されている。
【００１６】
一方、前記前枠１１の裏側には各種球通路及び処理部などを備えた機構セット盤１３が着脱可能にセットされており、同機構セット盤１３には、前記遊技盤の裏側と対応する位置に保護カバー１４が開閉可能に装着されている。また、保護カバー１４の周囲には、球タンク１５が前記保護カバー１４の上方に位置して設けられると共に、同球タンク１５から整流樋１６を介して貯留球が流下供給される区分供給経路部１７が前記保護カバー１４の右方領域に上下方向へ延設されている。そして、この区分供給経路部１７の下流端には球払出し装置１８が取着セットされ、同球払出し装置１８から賞球又は貸し球として払出された貯留球が図示しない排出経路を介して前記上球皿へ供給されるようになっている。
【００１７】
さらに、前記保護カバー１４の下方、即ち、機構セット盤１３の下部外側には、ゲーム内容を制御するためのメイン基板を備えた主制御装置１９及びセーフ球検出処理と貯留球排出処理（賞球払出しと貸し玉払出し）を制御するための払出し基板を備えた払出し制御装置２０が装着されている。また、前記主制御装置１９よりも下方位置には、前記打球発射装置の作動状態を制御するための発射制御基板を備えた発射制御装置２１が装着されている。さらに、前記保護カバー１４の右側上方には、電源基板２２が蓋付きの基板ケース２３内に収納された状態で装着されている。そして、同基板２２には、遊技場の電源（２４Ｖ）が供給されるようにプラグ線２４が設置されると共に、前記メイン基板、払出し基板及び発射制御基板に図示しない配線により接続されている。従って、前記電源基板２２に供給された電源は、前記各基板へ分配供給されることにより遊技機の制御が行われるようになっている。
【００１８】
また、前記払出し制御装置２０の上方には、同装置２０と図示しない配線で接続されたインターフェース基板（以下、「ＩＦ基板」という。）２５が設置されている。そして、前記ＩＦ基板２５には、前記電源基板２２に供給された前記電源が払出し制御装置２０を介して供給されるようになっている。また、前記ＩＦ基板２５は、フラットケーブル２６により前記カードユニット１２に接続されており、供給された前記電源を同カードユニット１２に供給している。さらに、前記ＩＦ基板２５は、前記払出し制御装置２０とカードユニット１２との間の球貸しに関する信号を中継している。従って、遊技機前面に設けられた図示しない球貸し操作部が操作されると、カードユニット１２に挿入されたカードの有効金額内における一定額単位に対して所定個数（例えば１００円に対して２５個）の貸し球が前記球払出し装置１８より払出されるようになっている。
【００１９】
次に、図２及び図３に基づいて、前記ＩＦ基板２５について説明する。なお、以下の説明において、ＩＦ基板２５は、機裏側から見た場合の手前側を「後面」側とする。
【００２０】
図２に示すように、ＩＦ基板２５は、同基板２５と略同一の大きさの開口を有する基板ケース２７内にビス２９により取着されており、この基板ケース２７は、図３に示すように、機構セット盤１３にビス止めされる蓋部材２８に対して左右方向より係脱自在に取着されている。なお、ＩＦ基板２５は、機構セット盤１３への取着状態において、その後面側が遊技機の裏側で露出した状態となる。そして、図２で示されるようにＩＦ基板２５には、前記フラットケーブル２６が接続されるコネクタ部３０とコネクタ通電部３１から構成されるコネクタ３２が配設されている。さらに、前記コネクタ３２の下方には、他のケーブルを接続するための複数のコネクタ３３及び各種電子デバイス３４が配設されている。また、コネクタ３２における右側のコネクタ通電部３１の下方には、ヒューズ３５，３６のヒューズ通電部３５ａ，３６ａが接続されるヒューズコネクタ３７がヒューズ取付部として配設されている（図３，図６参照）。
【００２１】
前記ヒューズコネクタ３７は、図６に示されるように、全体に弾性力を有しており、その略中央部分には前記ヒューズ通電部３５ａ，３６ａを保持するための保持部３８が形成されている。同保持部３８の上側は開口されて形成されており、その開口側からヒューズ通電部３５ａ，３６ａを挿通させることで、ヒューズ３５，３６がＩＦ基板２５に接続され通電可能な状態とされる。
【００２２】
また、ヒューズ３５，３６は、図２及び図３に示されるように後述するヒューズホルダ（以下、「ホルダ」とする。）３９に取着された状態で、前記ＩＦ基板２５に対して前後方向に並設するように装着されている。そして、前記ヒューズ３５，３６は、前記ホルダ３９をＩＦ基板２５に対して着脱することにより、前記ヒューズコネクタ３７に着脱自在とされている。よって、ヒューズ３５，３６が装着されたＩＦ基板２５は、同基板２５に接続された他の基板より流れ込む過電流から保護されると共に、接続された他の基板（例えば、払出し基板）や装置（例えば、カードユニット１２）へ過電流を供給しないようになっている。また、前記ＩＦ基板２５には、図２で示されるようにホルダ３９の下方側に電子デバイス３４などが配設されていないスペースＳが設けられており、前記ホルダ３９を着脱する際に同スペースＳに指先を掛けることで着脱操作を容易にできるようになっている。
【００２３】
次に、図４〜図６に基づいて前記ホルダ３９について説明すると、同ホルダ３９は、全体が透明の樹脂で構成されており、保護壁４０、第１及び第２の筒部４１，４２及び弾性フック４３〜４６を備えた形態で一体形成されている。そして、前記保護壁４０は、その前後両面が略長方形の平板とされており、短手方向中央には、後述する弾性フック４３，４５を配置するための切り欠き４７，４８が形成されている。また、保護壁４０の中央には、同保護壁４０を挟持するように第１の筒部４１及び第２の筒部４２が径方向に並設されている。そして、両筒部４１，４２の内径は、図４に示されるように、両筒部４１，４２の軸方向から挿通されるヒューズ３５，３６のヒューズ通電部３５ａ，３６ａと略同一の直径となっている。さらに、両筒部４１，４２は、前記ヒューズ通電部３５ａ，３６ａを除いたヒューズ３５，３６のガラス部３５ｂ，３６ｂを覆うことができる程度の軸方向長さを備えている（図５参照）。また、各筒部４１，４２の左右端面４１ａ，４１ｂ；４２ａ，４２ｂには、全体に弾性力を有すると共に、その先端に鍵状の係止部４９〜５２が形成された１対の弾性フック４３，４４；４５，４６が軸方向に延設されている。
【００２４】
そして、前記第１の筒部４１の右端面４１ｂ側の弾性フック（以下、「第１の弾性フック」という。）４３は、前記保護壁４０の切り欠き４７内に配置されている。また、左端面４１ａ側の弾性フック（以下、「第２の弾性フック」という。）４４は、前記第１の弾性フック４３に対して対角線上に配置されている。そして、両弾性フック４３，４４の係止部４９，５０は、互いに第１の筒部４１の軸中心側に向けられている。また、第２の筒部４２においては、左端面４２ａ側の弾性フック（以下、「第１の弾性フック」という。）４５が、前記保護壁４０の切り欠き４８内に配置されている。そして、右端面４２ｂ側の弾性フック（以下、「第２の弾性フック」という。）４６は、前記第１の弾性フック４５に対して対角線上に配置されている。さらに、両弾性フック４５，４６の係止部５１，５２は、互いに第２の筒部４２の軸中心側に向けられている。
【００２５】
また、各筒部４１，４２に形成された一対の弾性フック４３，４４；４５，４６の係止部４９，５０；５１，５２間の距離は、図５に示されるようにヒューズ３５，３６の軸方向長さと略同一となっている。そして、前記一対の弾性フック４３，４４；４５，４６は、ヒューズ３５，３６の挿通時には、軸方向の位置決めを行うための位置決め手段として機能している。また、ヒューズ３５，３６の挿通後には、同ヒューズ３５，３６が各筒部４１，４２の軸方向側から抜け落ちないように係止している。そして、本実施形態におけるホルダ３９は、各筒部４１，４２に形成された一対の弾性フック４３，４４；４５，４６からなる保持手段が保護部としての保護壁４０を介して径方向に並設された一対の保持手段を有して構成されている。
【００２６】
次に、本実施形態のホルダ３９を用いたＩＦ基板２５へのヒューズ３５，３６の着脱作業について説明する。
最初に、ホルダ３９にヒューズ３５，３６を取着させる場合を説明すると、まず、第１の筒部４１の第１の弾性フック４３側からヒューズ３５を軸方向へ挿通させる（図４参照）。このとき、第１の弾性フック４３は、自身の弾性力により第１の筒部４１の外側径方向に広がるように弾性変形する。そして、第１の筒部４１の第２の弾性フック４４の係止部５０にヒューズ３５の端面が当接するまで前記ヒューズ３５を軸方向に移動させる。すると、第１の弾性フック４３は弾性変形した状態から戻り、その係止部４９もヒューズ３５の端面に当接される（図５，図６参照）。従って、ヒューズ３５は、係止部４９，５０により両側から係止されると共に、第１の筒部４１内には、ガラス部３５ｂが挿通された状態で保持されることになる（図５参照）。続いて、第２の筒部４２にも第１の筒部４１と同様にヒューズ３６を取着させると、図５及び図６に示すようにホルダ３９には２本のヒューズ３５，３６が取着された状態となる。なお、上記説明では、第１の弾性フック４３側からヒューズ３５を挿通させているが、第２の弾性フック４４側から挿通させても良い。また、第１の筒部４１と第２の筒部４２へヒューズ３５，３６を取着させる順番はどちらが先であっても良い。
【００２７】
次に、２本のヒューズ３５，３６が取着されたホルダ３９を、ＩＦ基板２５に装着する場合を説明する。なお、以下の説明では、図３，図５及び図６に示される２本のヒューズ３５，３６の内、第１の筒部４１に取着されたヒューズ３５をヒューズコネクタ３７側に接続する「使用側ヒューズ」とし、第２の筒部４２に取着されたヒューズ３６を「予備側ヒューズ」とする。
【００２８】
まず、図６に示されるように使用側ヒューズ３５をＩＦ基板２５上のヒューズコネクタ３７と対向するように、ホルダ３９を、例えば、親指と人差し指の２本の指先で摘むように持つ。なお、ホルダ３９を摘む位置は、第２の筒部４２であっても良いし、第２の筒部４２と保護壁４０の端部の両方を摘むようにしても良い。
【００２９】
そして、ホルダ３９を摘んだ状態で、ヒューズコネクタ３７の開口側から使用側ヒューズ３５のヒューズ通電部３５ａを押し込む方向（ＩＦ基板の前面側の方向）に力を加える。すると、ヒューズコネクタ３７が弾性変形することにより、ヒューズ通電部３５ａが保持部３８に押し込まれる。そして、同保持部３８にヒューズ通電部３５ａが完全に押し込まれると、使用側ヒューズ３５が前記ヒューズコネクタ３７に接続される。このとき、接続された使用側ヒューズ３５は、図２及び図３で示されるように、保護壁４０で覆われるため外部に露出されない。従って、同図で二点鎖線で示した遊技球５３が前記球タンク１５から落下しても同球５３がコネクタ通電部３１と使用側ヒューズ３５のヒューズ通電部３５ａとに跨って接触することがなく、ＩＦ基板２５上の回路をショートさせることがない。なお、予備側ヒューズ３６のヒューズ通電部３６ａは、外部に露出した状態とされているが、この予備側ヒューズ３６は通電されていないため遊技球５３が接触してもＩＦ基板２５上の回路には何ら影響がない。さらに、予備側ヒューズ３６のガラス部３６ｂは、第２の筒部４２により覆われているため、前記遊技球５３によりガラス部３６ｂが破損することもない。
【００３０】
次に、使用側ヒューズ３５にヒューズ切れが生じ、予備側ヒューズ３６と交換する場合について説明すると、まず、ホルダ３９を前述した装着時と同様に指先で摘むように持つ。このとき、ホルダ３９を摘む位置は、第２の筒部４２又は同筒部４２と保護壁４０の両方のどちらでも良い。しかし、ホルダ３９の脱着時には、第２の筒部４２と保護壁４０の両方を摘み、ＩＦ基板２５上のスペースＳに指先を掛けて力を加えると脱着が行い易い。
【００３１】
そして、使用側ヒューズ３５がヒューズコネクタ３７から外れる方向（ＩＦ基板の後面側の方向）に力を加えると、同コネクタ３７の弾性変形によりヒューズ通電部３５ａが保持部３８から外れ、ホルダ３９を脱着させることができる。そして、ホルダ３９を完全に脱着させた状態で前後方向に反転させると、予備側ヒューズ３６のヒューズ通電部３６ａがヒューズコネクタ３７へ接続可能な状態となる。そして、予備側ヒューズ３６が前記ヒューズコネクタ３７と対向するように第１の筒部４１を指先で摘むように持ち、使用側ヒューズ３５の接続時と同様にヒューズコネクタ３７に接続させることで交換作業が終了する。
【００３２】
なお、使用不能となった使用側ヒューズ３５は、新しいヒューズと交換しておくことで、次にヒューズ切れが生じても速やかに交換作業を行うことができる。
従って、本実施形態によれば、以下に示す効果を得ることができる。
【００３３】
（１）ヒューズ３５，３６がホルダ３９の両筒部４１，４２に覆われて取着されているので、ホルダ３９の装着時には、ヒューズ３５，３６よりも径が大きい筒部４１，４２を摘んで作業を行うことができ交換作業が容易になる。さらに、筒部４１，４２及び保護壁４０の両方を摘んで作業することもできるので、交換作業がさらに容易になる。また、ヒューズ３５，３６のガラス部３５ｂ，３６ｂが筒部４１，４２で覆われているため、摘む力を加減する必要がなく、ヒューズ３５，３６の破損を抑制することができる。そして、両筒部４１，４２と保護壁４０がホルダ３９を摘むための機能も果たしているため、ホルダ３９に摘む手段を別途設ける必要もなくホルダ３９を安価に製作することができる。
【００３４】
（２）ホルダ３９に形成された一対の筒部４１，４２に各々ヒューズ３５，３６を取着させた状態でホルダ３９が装着されるため、交換時に管理室までヒューズを取りに行く必要がなく、短時間で交換作業を終えることができる。また、遊技機に適合した交換用ヒューズを予めホルダ３９に取着させておけるので、交換時に適合するヒューズを探す手間もなくなり交換作業が容易になると共に、交換用ヒューズの保守管理が容易になる。
【００３５】
（３）保護壁４０を介して一対の筒部４１，４２が径方向に並設されているので、ヒューズの交換時にはホルダ３９を反転させるという簡単な操作で作業を行うことができる。また、径方向に並設されていることでホルダ３９が小型化されるため、同ホルダ３９がＩＦ基板２５内で占有する領域を小さくすることができる。従って、ＩＦ基板２５を小さくすることもできる。
【００３６】
（４）ホルダ３９が透明の樹脂で形成されているので、ヒューズ３５，３６を取り外すことなく、取着されたヒューズが使用可能なものかどうか容易に判別することができる。
【００３７】
（５）保護壁４０により使用側ヒューズ３５が保護されているため、遊技球５３が前記ＩＦ基板２５のコネクタ通電部３１と使用側ヒューズ３５のヒューズ通電部３５ａとに跨って接触することがなく、ＩＦ基板２５の回路がショートしてしまうことがない。また、予備側ヒューズ３６は、第２の筒部４２で覆われているため、遊技球５３によりガラス部３６ｂが破損することがない。さらに、ヒューズ３５，３６を遊技球５３から保護するために、ＩＦ基板２５を蓋付きの基板ケース内に収納した状態で機構セット盤１３に装着する必要もない。
【００３８】
（６）ＩＦ基板２５におけるホルダ３９の装着部位の下方に電子デバイス３４などが配設されないスペースＳを確保したため、ホルダ３９の着脱作業を容易に行うことができる。
【００３９】
（第２の実施形態）
次に、本発明を遊技機の一種であるパチンコ遊技機に具体化した第２の実施形態を図７〜図９に基づいて説明する。なお、以下の各実施形態においては、既に説明した各実施形態と同一構成である場合、同一番号を付しその説明を省略する。
【００４０】
図７には、第２の実施形態におけるホルダ５３が示されている。同図において、前記ホルダ５３は、全体が透明の樹脂で構成されており、保護壁５４、第１及び第２の筒部５５，５６を備えた形態で一体形成されている。そして、前記保護壁５４は、その前後両面が略長方形の平板とされており、その中央には、同保護壁５４を挟持するように弾性力を有する第１の筒部５５及び第２の筒部５６が径方向に並設されている。また、図７及び図８に示されるように、両筒部５５，５６の前記保護壁５４と対向する外周面上の位置には、各筒部５５，５６の左右端面５５ａ，５５ｂ；５６ａ，５６ｂに開口された開口部５７，５８が形成されている。そして、両筒部５５，５６の内径は、ヒューズ通電部３５ａ，３６ａよりも小さく、ヒューズ３５，３６のガラス部３５ｂ，３６ｂと略同一の直径となっている。さらに、両筒部５５，５６は、前記ヒューズ通電部３５ａ，３６ａを除いたヒューズ３５，３６のガラス部３５ｂ，３６ｂを覆うことができる程度の軸方向長さを備えている（図９参照）。
【００４１】
従って、本実施形態におけるホルダ５３に形成された第１の筒部５５及び第２の筒部５６は、ヒューズ３５，３６を軸方向から挿通させると、ヒューズ通電部３５ａ，３６ａにより拡径される。そして、図９に示されるようにガラス部３５ｂ，３６ｂ全体が各筒部５５，５６に完全に挿通されると自身の弾性力により縮径するようになっている。従って、両筒部５５，５６の左右端面５５ａ，５５ｂ；５６ａ，５６ｂは、ヒューズ通電部３５ａ，３６ａと係合することにより、ヒューズ３５，３６の軸方向の移動を規制するための位置決め部としての機能を果たしている。また、本実施形態におけるホルダ５３は、各筒部５５，５６からなる保持手段が保護部としての保護壁５４を介して径方向に並設された一対の保持手段を有して構成されている。
【００４２】
次に、本実施形態におけるホルダ５３を用いたＩＦ基板２５へのヒューズ３５，３６の着脱作業について説明する。なお、本実施形態におけるヒューズ３５，３６の着脱作業の内、第１の実施形態と同一の作業については、その説明を省略する。また、第１の実施形態と同様に、第１の筒部５５に取着されたヒューズ３５を「使用側ヒューズ」とし、第２の筒部５６に取着されたヒューズ３６を「予備側ヒューズ」とする。
【００４３】
最初に、ホルダ５３にヒューズ３５，３６を取着する場合を説明すると、まず、第１の筒部５５にヒューズ３５を軸方向から挿通させる（図７参照）。このとき、第１の筒部５５はヒューズ通電部３５ａにより拡径され、ヒューズ３５が軸方向に移動できるようになる。そして、ガラス部３５ｂが第１の筒部５５で完全に覆われる位置までヒューズ３５を移動させると、第１の筒部５５は自身の弾性力により縮径する。従って、第１の筒部５５内にはガラス部３５ｂが保持された状態となり、ヒューズ３５がホルダ５３に取着される。なお、この保持状態におけるヒューズ３５は、第１の筒部５５の左右端面５５ａ，５５ｂにより軸方向の移動が規制されるため、ヒューズ３５が前記筒部５５から抜け落ちることがない。続いて、第２の筒部５６にも第１の筒部５５と同様にヒューズ３６を取着させると、図９に示されるようにホルダ５３には２本のヒューズ３５，３６が取着された状態となる。
【００４４】
そして、本実施形態におけるホルダ５３は、第１の実施形態と同様の手順にてＩＦ基板２５に装着することができる。なお、本実施形態においてもホルダ５３がＩＦ基板２５に装着されると、２本のヒューズ３５，３６が前記ＩＦ基板２５に対して前後方向に並設された状態となる。
【００４５】
次に、使用側ヒューズ３５にヒューズ切れが生じ、予備側ヒューズ３６と交換する場合について説明すると、まず、第１の実施形態と同様の手順でＩＦ基板２５からホルダ５３を脱着させる。そして、ホルダ５３を完全に脱着させた後に、ホルダ５３を前後方向に反転させると、予備側ヒューズ３６のヒューズ通電部３６ａがヒューズコネクタ３７へ接続可能な状態となる。そして、第１の実施形態における接続時と同様にして予備側ヒューズ３６をヒューズコネクタ３７に接続させることで交換作業が終了する。
【００４６】
従って、本実施形態によれば、第１の実施形態の効果（１）〜（６）に加えて、さらに以下に示す効果を得ることができる。
（７）ヒューズ３５，３６を取着する際には、ヒューズ通電部３５ａ，３６ａにより拡径され、取着後は、自身の弾性力により縮径する筒部５５，５６によりヒューズ３５，３６を保持しているので、ホルダ５３の構造を簡素化することができる。
【００４７】
（８）両筒部５５，５６に形成された開口部５７，５８により、取着されたヒューズが使用可能なものかどうか直接目視することができ、その判別をさらに容易にすることができる。
【００４８】
（第３の実施形態）
次に、本発明を遊技機の一種であるパチンコ遊技機に具体化した第３の実施形態を図１０及び図１１に基づいて説明する。
【００４９】
図１０には、第３の実施形態におけるホルダ５９が示されている。同図において、前記ホルダ５９は、全体が透明の樹脂で構成されており、保護壁６０、第１及び第２の筒部６１，６２を備えた形態で一体形成されている。そして、前記保護壁６０は、その前後表面が略長方形の平板とされており、同保護壁６０の対角線上には、一対の係合突片６３，６４が一体形成されている。また、同係合突片６３，６４は、その上端面６３ａ，６４ａが前記保護壁６０の端部６０ａ，６０ｂと同一位置となっており、下端面６３ｂ、６４ｂが保護壁６０の短手方向中央よりも長く延設して形成されている。そして、前記係合突片６３，６４は、ホルダ５９をＩＦ基板２５に装着する際に、後述する基板ケース２７に形成された係合溝６５と係合するようになっている。
【００５０】
また、前記保護壁６０の長手方向中央には、同保護壁６０を挟持するように弾性力を有した第１の筒部６１及び第２の筒部６２が径方向に並設されている。そして、第１の筒部６１は、その軸中心位置が前記係合突片６３の下端面６３ｂと同一位置となるように前記保護壁６０に形成されている。また、第２の筒部６２は、その軸中心位置が前記係合突片６４の下端面６４ｂと同一位置となるように前記保護壁６０に形成されている。従って、両筒部４１，４２の軸中心位置は、同筒部４１，４２を正面から見て右側に形成されている係合突片６３，６４の下端面６３ｂ，６４ｂと同一位置となっており、両筒部４１，４２は保護壁６０を介して短手方向に異なる位置に形成されている。なお、両筒部６１，６２の軸中心位置は、取着されるヒューズ３５，３６の軸中心位置となっている。
【００５１】
さらに、各筒部６１，６２には、図１０で示されるようにヒューズ３５，３６が水平状態で挿通できるように開口部６６が形成されており、同開口部６６は、前記ヒューズ３５，３６のガラス部３５ｂ，３６ｂの直径よりも狭くなっている。そして、両筒部６１，６２の開口部６６は、保護壁６０を介して相反する方向に開口するように形成されている。従って、ヒューズ３５，３６を各筒部６１，６２に押し込むと、前記ガラス部３５ｂ，３６ｂにより拡径され、前記ヒューズ３５，３６を取着することができるようになっている。さらに、両筒部６１，６２は、挿通されるヒューズ３５，３６のガラス部３５ｂ，３６ｂを覆うことができる軸方向長さを備えて形成されている。そして、両筒部６１，６２の左右端面６１ａ，６１ｂ；６２ａ，６２ｂは、ヒューズ通電部３５ａ，３６ａと係合することにより、ヒューズ３５，３６の軸方向の移動を規制するための位置決め部としての機能を果たしている。また、本実施形態におけるホルダ５９は、前記筒部６１，６２からなる保持手段が保護部としての保護壁６０を介して径方向に並設された一対の保持手段を有して構成されている。
【００５２】
図１１には、本実施形態におけるＩＦ基板２５が示されている。本実施形態では、右側のコネクタ通電部３１の下方において２本のヒューズ３５，３６が上下方向に並設されるように、前記ホルダ５９がＩＦ基板２５に装着されている。そして、２本のヒューズ３５，３６の内、下側に位置するヒューズ３５が前記第１及び第２の実施形態と同様にヒューズコネクタ３７に接続されている。従って、ＩＦ基板２５に配設されたヒューズコネクタ３７は、第１及び第２の実施形態よりも下方側に配設されている。また、基板ケース２７の右側面側には、ホルダ５９に形成された係合突片６３，６４が係合される係合溝６５が設けられている。そして、同係合溝６５は、前記ヒューズコネクタ３７の保持部３８の軸方向中心と同一位置となる深さで形成されている。
【００５３】
次に、ホルダ３９をＩＦ基板２５に装着する際の前記係合突片６３，６４と係合溝６５との係合関係について説明する。
まず、本実施形態では、図１０に示されるように前記筒部６１，６２の開口部６６がＩＦ基板２５の後面側に向くようにホルダ５９が装着される。このとき、前記開口部６６がＩＦ基板２５の前面側に向くようにホルダ５９を接続すると、同ホルダ５９を脱着する際にヒューズコネクタ３７に接続されているヒューズ３５，３６が前記ホルダ５９から外れる可能性がある。
【００５４】
即ち、脱着方向（ＩＦ基板の後面側方向）へ力を加えると保持部３８が拡径されるため、接続されているヒューズ３５，３６のヒューズ通電部３５ａ，３６ａは、ヒューズコネクタ３７から外れようとする。しかし、このときヒューズ通電部３５ａ，３６ａには、前述した脱着方向への力と反対方向の力である保持部３８による保持力の両方が加わることになる。従って、その両方の力の関係により接続されたヒューズ３５，３６が取着されている前記筒部６１，６２が弾性力により拡径されてしまうと、前記ヒューズ３５，３６が保持部３８内に残された状態でホルダ５９のみが脱着されることになる。そして、この場合には保持部３８内に残された細くて小さいヒューズ３５，３６をヒューズコネクタ３７から外す必要がありこの作業は容易なものではない。
【００５５】
そのため、本実施形態では、保護壁６０の係合突片６３，６４と基板ケース２７の係合溝６５により、開口部６６がＩＦ基板２５の後面側に向いていなければヒューズ３５，３６の接続ができないようになっている。即ち、ヒューズ３５の接続時において、図１０に示される正しい向きでホルダ５９が装着された場合には、係合突片６３の下端面６３ｂが係合溝６５の最深部に当接されることになる。そして、下端面６３ｂの位置と筒部６１及び保持部３８の軸中心位置が同一であることからヒューズ３５を接続することができる。
【００５６】
しかし、第１の筒部６１の開口部６６がＩＦ基板２５の前面側を向いた状態でホルダ３９を装着しようとすると、係合突片６４の下端面６４ｂが前記係合溝６５に当接することになる。この場合には、前記下端面６４ｂの位置が前記筒部６１及び前記保持部３８の軸中心位置よりＩＦ基板２５の前面側に位置するため、ヒューズ通電部３５ａは、保持部３８へ挿通できず保持されないようになっている。また、第２の筒部６２の開口部６６がＩＦ基板２５の前面側を向いた状態でホルダ３９を装着しようとすると、係合突片６４の上端面６４ａが前記係合溝６５に当接することになる。この場合には、前記上端面６４ａの位置が前記筒部６２及び前記保持部３８の軸中心位置よりＩＦ基板２５の前面側に位置するため、ヒューズ通電部３６ａは、保持部３８へ挿通できず保持されないようになっている。
【００５７】
次に、本実施形態におけるホルダ５９を用いたＩＦ基板２５へのヒューズ３５，３６の着脱作業について説明する。なお、本実施形態におけるヒューズ３５，３６の着脱作業の内、第１及び第２の実施形態と同一の作業については、その説明を省略する。また、第１の筒部６１に取着されたヒューズ３５を「使用側ヒューズ」とし、第２の筒部６２に取着されたヒューズ３６を「予備側ヒューズ」とする。
【００５８】
最初に、ホルダ５９にヒューズ３５を取着する場合を説明すると、まず、第１の筒部６１の開口部６６に対して、ヒューズ３５のガラス部３５ａを水平方向から挿通させる（図１０参照）。すると、前記ガラス部３５ｂにより第１の筒部６１が拡径され、ヒューズ３５が径方向に移動できるようになる。そして、第１の筒部６１内にガラス部３５ｂが完全に挿通されると、同筒部６１は自身の弾性力により縮径する。従って、第１の筒部６１内には、前記ガラス部３５ｂの一部が保持された状態となり、ヒューズ３５がホルダ５９に取着される。なお、この保持状態では、ヒューズ３５は第１の筒部６１の左右端面６１ａ，６１ｂにより軸方向の移動が規制されるため、前記筒部６１から抜け落ちることがない。続いて、第２の筒部６２にも第１の筒部６１と同様にヒューズ３６を取着させると、ホルダ３９には２本のヒューズ３５，３６が取着された状態となる。
【００５９】
次に、２本のヒューズ３５，３６が取着されたホルダ５９を、ＩＦ基板２５に装着する場合を説明する。まず、使用側ヒューズ３５をＩＦ基板２５上のヒューズコネクタ３７と対向するように、ホルダ３９を第１及び第２の実施形態と同様に摘むように持つ。このとき、第１の筒部６１の開口部６６は、図１０に示すようにヒューズコネクタ３７と反対方向、即ち、ＩＦ基板２５の後面側を向くようにする。そして、使用側ヒューズ３５のヒューズ通電部３５ａを前記ヒューズコネクタ３７に押し込む方向（ＩＦ基板の前面側方向）に力を加えることで、同コネクタ３７に前記ヒューズ３５が接続される。なお、ＩＦ基板２５にホルダ３９が装着されると、両ヒューズ３５，３６は、図１１に示すようにＩＦ基板２５の後面側において露出した状態となっている。しかし、使用側ヒューズ３５は、予備側ヒューズ３６より下側に位置していると共に、両筒部６１，６２の間には保護壁６０が介在されているため、遊技球５３がコネクタ通電部３１と使用側ヒューズ３５のヒューズ通電部３５ａに跨って接触することがない。
【００６０】
次に使用側ヒューズ３５にヒューズ切れが生じ、予備側ヒューズ３６と交換する場合について説明すると、まず、第１及び第２の実施形態と同様にして、ホルダ３９をＩＦ基板２５から脱着させる。そして、ホルダ３９を完全に脱着させた状態で前後方向に反転させることで、両ヒューズ３５，３６の上下位置が入れ替わり予備側ヒューズ３６が接続可能な状態となる。そして、使用不能となった使用側ヒューズ３５を新しいヒューズと交換した後に、前述と同様にヒューズコネクタ３７にヒューズ３６を接続させることで交換作業が終了する。
【００６１】
従って、本実施形態によれば、第１及び第２の実施形態の効果（１）〜（８）に加えて、さらに以下に示す効果を得ることができる。
（９）ヒューズ３５，３６を水平方向から挿通できるように両筒部６１，６２に開口部６６を形成したので、ホルダ３９へのヒューズ３５，３６の取着を容易に行うことができる。
【００６２】
（１０）保護壁６０の係合突片６３，６４と基板ケース２７の係合溝６５により、ホルダ５９をＩＦ基板２５に対して正しい向きで確実に装着することができる。従って、ホルダ５９の脱着時にヒューズコネクタ３７にヒューズ３５，３６が取り残されることがない。
【００６３】
なお、本実施形態は以下のように変更してもよい。
・前記各実施形態におけるホルダ３９，５３，５９は、ＩＦ基板２５に装着する場合を説明しているが、例えば電源基板２２に各実施形態のホルダ３９，５３，５９を装着しても良い。即ち、図１で示される電源基板２２では、４本のヒューズが接続されているが、これらのヒューズ３５を４個のホルダ３９，５３，５９を用いて接続するようにしても良い。このように構成しても、前記各実施形態と同様の効果を奏する。
【００６４】
・前記第２及び第３の実施形態においては、両筒部５５，５６；６１，６２の両端面でヒューズ３５，３６の軸方向の位置決めを行っているが、図７に二点鎖線で示すような位置決め用の突起６７を保護壁５４，６０の両端側に形成しても良い。このように構成すれば、より確実にヒューズ３５，３６の位置決めを行うことができる。
【００６５】
・前記各実施形態においては、両筒部４１，４２；５５，５６；６１，６２が径方向に並設されているが、軸方向に並設して一対の保持手段を構成しても良い。このように構成すれば、前記各実施形態の（１），（２），（４）〜（１０）と同様の効果を奏する。また、ヒューズの交換時には、ホルダを反転させるという簡単な操作で交換作業を行うこともできる。
【００６６】
・前記各実施形態においては、保護壁４０，５４，６０を介して両筒部４１，４２；５５，５６；６１，６２が並設されているが、保護壁４０，５４，６０を介さずに直接並設しても良い。なお、径方向に並設した場合には、保護壁４０，５４，６０を両筒部４１，４２；５５，５６；６１，６２の両側に設ければ良い。また、軸方向へ並設した場合には、保護壁４０，５４，６０を両筒部４１，４２；５５，５６；６１，６２の両側または片側のみに設ければ良い。なお、片側のみに設けた場合には、前記保護壁４０，５４，６０がコネクタ３２の直下に位置するようにホルダ３９，５３，５９をＩＦ基板２５へ装着すれば良い。この様に構成しても、前記各実施形態の（１），（２），（４）〜（１０）と同様の効果を奏する。
【００６７】
・前記各実施形態においては、保護壁４０，５４，６０の前後両面が略長方形で形成されているが、楕円形、円形など保護壁４０，５４，６０の形状は前記各実施形態に限定されるものではない。このように構成しても、前記各実施形態と同様の効果を奏する。
【００６８】
・前記各実施形態においては、ホルダ３９，５３，５９に保護壁４０，５４，６０が備えられているが、保護壁４０，５４，６０が備えられていなくても良い。即ち、図１１に示されるように、ヒューズ３５，３６が上下方向に並設するようにＩＦ基板２５にホルダ５９が装着されれば、上側のヒューズにより下側のヒューズを保護することができる。このように構成すれば、ホルダ３９，５３，５９の構造がより簡素化される。
【００６９】
・前記第１及び第２の実施形態においては、２本のヒューズ３５，３６がＩＦ基板２５に対して前後方向に並設されるようにホルダ３９，５３が装着されているが、前記第３の実施形態のようにヒューズ３５，３６が上下方向に並設するようにホルダ３９，５３を装着しても良い。このように構成しても、前記各実施形態と同様の効果を奏する。
【００７０】
・前記各実施形態においては、ホルダ３９，５３，５９が透明の樹脂で形成されているが、透明性を有さない樹脂で形成しても良い。この場合、第１の実施形態では、両筒部４１，４２にスリットを設けておくことにより、取着されたヒューズの確認をすることができる。このように構成しても、前記各実施形態と同様の効果を奏する。
【００７１】
・前記各実施形態においては、パチンコ遊技機におけるホルダ３９，５３，５９について説明したが、パチンコ遊技機以外の遊技機（例えば、アレンジボール遊技機やスロットマシン遊技機）に前記各実施形態で説明したホルダ３９，５３，５９を使用しても良い。他の遊技機においても、前記各実施形態と同様の効果を奏する。
【００７２】
【発明の効果】
請求項１に記載の発明によれば、ヒューズの交換作業を容易に行うことができる。
【００７５】
請求項２に記載の発明によれば、請求項１に記載の発明の効果に加えて、保持手段に保持されたヒューズの軸方向の位置決めを容易に行うことができる。また、ヒューズの軸方向への移動を抑制することもできる。
【００７６】
請求項３に記載の発明によれば、請求項１又は２に記載の発明の効果に加えて、通電状態のヒューズを保護部により保護することができる。
請求項４に記載の発明によれば、請求項１〜請求項３のうちいずれか一項に記載の発明の効果に加えて、ホルダが透明の樹脂で形成されているため、ヒューズを取り外すことなく、取着されたヒューズが使用可能なものかどうか容易に判別することができる。
【図面の簡単な説明】
【図１】  本発明における一実施形態に係るパチンコ遊技機の概略を示す背面図。
【図２】  同じく、ＩＦ基板の概略を示す平面図。
【図３】  同じく、ＩＦ基板の概略を示す側面図。
【図４】  同じく、第１の実施形態に係るヒューズホルダを示す斜視図。
【図５】  同じく、ヒューズホルダの側部断面図。
【図６】  同じく、ヒューズホルダをヒューズコネクタへ取着する状態を示す斜視図。
【図７】  本発明における第２の実施形態の係るヒューズホルダを示す斜視図。
【図８】  同じく、ヒューズホルダの正面図。
【図９】  同じく、ヒューズホルダの側部断面図。
【図１０】  本発明における第３の実施形態に係るヒューズホルダを示す斜視図。
【図１１】  同じく、ＩＦ基板の概略を示す平面図。
【符号の説明】
３５，３６…ヒューズ、３５ａ，３６ａ…ヒューズ通電部、３９，５３，５９…ヒューズホルダ、４０，５４，６０…保護部としての保護壁、４１，５５，６１…保持手段としての第１の筒部、４２，５６，６２…保持手段としての第２の筒部、４３，４４，４５，４６…位置決め手段としての弾性フック、５５ａ，５６ａ，６１ａ，６２ａ…位置決め手段としての第１及び第２の筒部の左端面、５５ｂ，５６ｂ，６１ｂ，６２ｂ…位置決め手段としての第１及び第２の筒部の右端面。
【図１】
0004404414.tif 000002
【図２】
0004404414.tif 000003
【図３】
0004404414.tif 000004
【図４】
0004404414.tif 000005
【図５】
0004404414.tif 000006
【図６】
0004404414.tif 000007
【図７】
0004404414.tif 000008
【図８】
0004404414.tif 000009
【図９】
0004404414.tif 000010
【図１０】
0004404414.tif 000011
【図１１】
0004404414.tif 000012